(57)【要約】【課題】指定されている色の確認を容易にするとともに、手書きで入力された画像を大容量のリムーバブルなメモリに保存することを可能とする。【解決手段】メモリカード１２を装着可能なスロット１３を設け、１ＧＢのメモリカード１２を装着する。また、スタイラスペン３によって色タブレット６ａ〜６ｇを押圧することで手書き入力される画像の色を指定したときに、スタイラスペン３の先端部３ａを、指定された色を発光する構成とする。先端部３ａを指定された色に発光させるためには、例えば赤色ＬＥＤと青色ＬＥＤと緑色ＬＥＤとをスタイラスペン３に内蔵し、指定された色に応じて点灯又は消灯させる。【選択図】  図１
2004302976.tif 000002
【特許請求の範囲】
【請求項１】
手書きの画像を表示手段に表示する手書き入力データ処理装置において、
画像入力領域と色指定領域とが設けられており、押圧されることにより、押圧された位置を示す座標データを生成する座標データ生成手段と、
上記画像入力領域を押圧することにより手書きで画像を入力するとともに、上記色指定領域を押圧することによって入力する画像の色を指定する手書き入力手段と、
上記手書き入力手段が上記画像入力領域を押圧することによって上記座標データ生成手段が生成した座標データから、画像データを生成する画像データ生成手段と、
上記手書き入力手段が上記色指定領域を押圧することによって上記座標データ生成手段が生成した座標データから、色データを生成する色データ生成手段と、
時刻を生成する時刻生成手段と、
上記手書き入力手段が上記画像入力領域を押圧したときに上記時刻生成手段によって生成された時刻から、上記座標データ生成手段が座標データを生成したタイミングを示すタイミングデータを生成するタイミングデータ生成手段と、
リムーバブルな半導体メモリを装着するメモリ装着手段と、
上記半導体メモリに記憶されたデータを読み出すとともに、上記半導体メモリに対してデータを記録する半導体メモリドライブと、
上記画像データに基づいて、画像を上記表示手段に表示する表示制御手段とを備え、
上記半導体メモリドライブは、上記画像データ、上記色データ及び上記タイミングデータを上記半導体メモリに対して記録し、
上記手書き入力手段は、色指定領域を押圧することにより指定した色と同じ色を発光する発光部を有すること
を特徴とする手書き入力データ処理装置。
【請求項２】
上記表示制御手段は、上記半導体メモリに記憶されている画像データ、タイミングデータに基づいて、上記表示手段に、上記手書きデータ入力手段が上記画像を手書きで入力した過程を表示すること
を特徴とする請求項１記載の手書き入力データ処理装置。
【発明の詳細な説明】
【０００１】
【発明の属する技術分野】
本発明は、例えばスタイラスペンなどによりタブレット上で手書きで描かれた絵や文字などを、モニタに表示する手書き入力データ処理装置に関する。
【０００２】
【従来の技術】
従来、児童が絵を描いて遊ぶときには、画用紙などの紙にクレヨンや色鉛筆などの筆記用具で絵を描いている。しかし、紙に筆記用具で絵を描くと、途中で誤った場合に、描かれている絵を修正しにくい。また、紙の枚数に制限があるなどの理由により、児童は、思いつくままに自由に絵を描いていくことが困難となる。
【０００３】
そのため、例えばスタイラスペンなどによって押圧された位置に応じた座標を生成して出力するタブレットと、タブレットによって出力された座標を処理して、手書きで描かれた画像を生成するためのソフトウェアを有するパーソナルコンピュータと、パーソナルコンピュータで生成された画像を表示するためのモニタとを組み合わせ、タブレット上に手書きで描かれた絵などをモニタに表示するようにした手書き入力データ処理装置が提案されている（例えば、特許文献１）。
【０００４】
このような手書き入力データ処理装置を使用してタブレット上で絵を描くと、児童は、モニタに表示されている絵の修正や色の指定などを極めて容易に行うことが可能となり、思いつくままに何度も絵を描くことができる。
【０００５】
【特許文献１】
特開２００１−２７９３３号公報
【０００６】
【発明が解決しようとする課題】
ところで、以上説明した手書き入力データ処理装置では、手書きで絵などを描くときに、色を指定することができる。色を指定する方法としては、例えば色を指定するための色タブレットを設け、色タブレットをスタイラスペンで押圧する方法が挙げられる。色タブレットをスタイラスペンで押圧すると、色タブレットは押圧された位置に応じた座標データを生成して出力する。そして、パーソナルコンピュータは、色タブレットから出力された座標データに基づいて、指定された色を判断する。
【０００７】
しかしながら、上述した手書き入力データ処理装置においては、指定された色を表示する機構が備えられていない。すなわち、児童は、指定されている色を認識することが困難となる。したがって、例えば誤って色タブレットを押圧することなどによって、所望としない色が指定されているときにも、児童は所望としない色が指定されていることを認識することが不可能となり、誤った色で絵を描いてしまうなどの不都合が生じる虞がある。
【０００８】
また、児童が紙に筆記用具で描いた絵を保存するためには、絵が描かれた紙を保管しておく必要がある。紙は、折れ曲がったり破れるなどの破損が生じ易く、また、紛失し易い。すなわち、紙に筆記用具で描いた絵は、保存が困難となる。一方、上述した手書き入力データ処理装置では、タブレット上で絵を手書きしたときの軌跡を示す座標データがタブレットから出力され、この座標データがパーソナルコンピュータで処理されることにより、児童が描いた絵を、デジタルデータに変換している。
【０００９】
したがって、上述した手書き入力データ処理装置によれば、パーソナルコンピュータによって処理されて生成されたデジタルデータをメモリに記録することにより、児童が描いた絵をデジタルデータとして保存することが可能となる。絵は、デジタルデータとして保存されることにより、紛失などが回避され易くなり、且つ長期間保管することが容易となる。
【００１０】
本発明は、以上説明した従来の実情を鑑みて提案されたものであり、画像を手書きで入力するときに指定されている色を容易に認識することが可能であり、且つデジタルデータに変換された手書きの画像を長期間保存することが容易である手書き入力データ処理装置を提供することを目的とする。
【００１１】
【課題を解決するための手段】
本発明に係る手書き入力データ処理装置は、手書きの画像を表示手段に表示する手書き入力データ処理装置において、画像入力領域と色指定領域とが設けられており、押圧されることにより、押圧された位置を示す座標データを生成する座標データ生成手段と、上記画像入力領域を押圧することにより手がきで画像を入力するとともに、上記色指定領域を押圧することによって入力する画像の色を指定する手書き入力手段と、上記手書き入力手段が上記画像入力領域を押圧することによって上記座標データ生成手段が生成した座標データから、画像データを生成する画像データ生成手段と、上記手書き入力手段が上記色指定領域を押圧することによって上記座標データ生成手段が生成した座標データから、色データを生成する色データ生成手段と、時刻を生成する時刻生成手段と、上記手書き入力手段が上記画像入力領域を押圧したときに上記時刻生成手段によって生成された時刻から、上記座標データ生成手段が座標データを生成したタイミングを示すタイミングデータを生成するタイミングデータ生成手段と、リムーバブルな半導体メモリを装着するメモリ装着手段と、上記半導体メモリに記憶されたデータを読み出すとともに、上記半導体メモリに対してデータを記録する半導体メモリドライブと、上記画像データに基づいて、画像を上記表示手段に表示する表示制御手段とを備え、上記半導体メモリドライブは、上記画像データ、上記色データ及び上記タイミングデータを上記半導体メモリに対して記録し、上記手書き入力手段は、色指定領域を押圧することにより指定した色と同じ色を発光する発光部を有することを特徴とする。
【００１２】
【発明の実施の形態】
以下、本発明の実施の形態について詳細に説明する。
【００１３】
図１に示すように、本発明を適用した手書き入力データ表示装置１は、制御部２と、制御部２によって制御されるスタイラスペン３と、制御部２によって制御されるタブレットドライバ４と、タブレットドライバ４によって駆動される表示データタブレット５と、色タブレット６ａ，６ｂ，６ｃ，６ｄ，６ｅ，６ｆ，６ｇ（以下、総称するときには、色タブレット６ａ〜６ｇという。）とを備える。
【００１４】
また、手書き入力データ表示装置１は、制御部２の作業領域となるＲＡＭ（Ｒａｎｄｏｍ  Ａｃｃｅｓｓ  Ｍｅｍｏｒｙ）７と、制御部２が動作するためのプログラムが格納されているＲＯＭ（Ｒｅａｄ  Ｏｎｌｙ  Ｍｅｍｏｒｙ）８と、制御部２によって制御されており、時刻を生成するカウンタ９と、制御部２によって制御される液晶ディスプレイ（Ｌｉｑｕｉｄ  Ｃｒｙｓｔａｌ  Ｄｉｓｐｌａｙ；以下、ＬＣＤという。）ドライバ１０と、ＬＣＤドライバ１０によって駆動されて画像を表示するＬＣＤ１１とを備える。
【００１５】
また、手書き入力データ表示装置１は、リムーバブルな半導体メモリ（以下、メモリカードという。）１２が装着されるスロット１３と、制御部２による制御に基づいてメモリカード１２に対してデータを記録したり、メモリカード１２に記憶されているデータを読み出す画像データ処理部１４と、画像データ処理部１４から供給されたデータをメモリカード１２に供給するとともに、メモリカード１２に記憶されているデータを画像データ処理部１４に供給するインターフェイス（以下、Ｉ／Ｆという。）１５とを備える。
【００１６】
また、手書き入力データ表示装置１は、制御部２に対して信号を供給する消去ボタン１６と、保存ボタン１７と、記録周期変更ボタン１８とを備える。
【００１７】
さらに、手書き入力データ表示装置１の外観は、図２に示す通りとなる。すなわち、ＬＣＤ１１と入力装置２０とが接続しており、入力装置２０にスタイラスペン３が接続されている。
【００１８】
入力装置２０は、筐体２１の主面上の略中央部に表示データタブレット５が設けられており、表示データタブレット５の一辺に沿って色タブレット６ａ〜６ｇが一列に配列されており、表示データタブレット５の両側に保持溝２２ａ，２２ｂが設けられた構成とされている。また、入力装置２０では、筐体２１の側面に、スロット１３と、消去ボタン１６と、保存ボタン１７と、記録周期変更ボタン１８とが設けられた構成とされている。さらに、入力装置２０は、筐体２１の内部に、制御部２と、タブレットドライバ４と、ＲＡＭ７と、ＲＯＭ８と、カウンタ９と、ＬＣＤドライバ１０と、画像データ処理部１４と、Ｉ／Ｆ１５とを内蔵している。
【００１９】
筐体２１に保持溝２２ａ，２２ｂが設けられることによって、ユーザがスタイラスペン３によって画像を手書き入力するときに、入力装置２０が動くことがなくなる。すなわち、保持溝２２ａ，２２ｂが設けられることによって、ユーザは、画像の手書き入力をスムーズに行うことが可能となる。
【００２０】
なお、図３に示すように、消去ボタン１６と、保存ボタン１７とを表示データタブレット５の両側に備えても良い。消去ボタン１６と保存ボタン１７とを表示データタブレット５の両側に備えることにより、ユーザは、消去ボタン１６と保存ボタン１７とを認識し易くなる。
【００２１】
表示データタブレット５及び色タブレット６ａ〜６ｇは、感圧式の位置検出装置であり、スタイラスペン３によって押圧されたときに、押圧された位置を示すＸＹ座標に対応した座標データを生成する。
【００２２】
表示データタブレット５は、主面上でスタイラスペン３によって手書きで描かれた絵や文字に対応した座標データを、所定の時間間隔で生成する。表示データタブレット５によって生成される座標データは、制御部２によって、ＬＣＤ１１上の位置を示すＸＹ座標に対応した位置データに変換される。位置データは、後述するタイミングデータとともに、ＲＡＭ７に記録される。また、スタイラスペン３によって、表示データタブレット５の主面上で手書きで描かれた絵や文字は、位置データに基づいてＬＣＤ１１に表示される。
【００２３】
なお、以下では、表示データタブレット５の主面上に手書きで絵や文字などを描くことを、手書きで画像を入力するという。
【００２４】
色タブレット６ａ〜６ｇは、手書きで入力される画像の色を指定するためのタブレットである。色タブレット６ａ〜６ｇは、スタイラスペン３により押圧されることで、押圧された位置を示すＸＹ座標に対応した座標データを出力する。制御部２は、色タブレット６ａ〜６ｇから出力された座標データから指定された色を判断し、指定された色を示す色データを生成する。
【００２５】
例えば、色タブレット６ａが赤、色タブレット６ｂが青、色タブレット６ｃが緑、色タブレット６ｄが黄、色タブレット６ｅがピンク、色タブレット６ｆが白、色タブレット６ｇが黒と設定されているときには、スタイラスペン３が色タブレット６ａに接触することで、色タブレット６ａは、色タブレット６ａの位置に対応した座標データを生成して、出力する。色タブレット６ａから出力された座標データに基づいて、制御部２は、指定された色が赤であると判断し、手書き入力される画像の色が赤であることを示す色データを生成する。
【００２６】
制御部２によって生成された色データは、色データが生成された後に表示データタブレット５によって生成された位置データに対応する色データとなる。色データは、対応する位置データ及びタイミングデータとともにＲＡＭ７に記録される。
【００２７】
なお、例えば指など、スタイラスペン３以外のものによって表示データタブレット５上で画像を手書きで入力することや、色タブレット６ａ〜６ｇを押圧して手書きで入力される画像の色を決定することもできる。
【００２８】
スタイラスペン３は、表示データタブレット５及び色タブレット６ａ〜６ｇを押圧してデータを入力する手書き入力手段である。具体的に説明すると、ユーザは、スタイラスペン３によって表示データタブレット５の主面上で所望の絵や文字を描くことにより、所望の画像を手書きで入力する。また、色タブレット６ａ〜６ｇを押圧することによって、手書きで入力する画像の色を選択する。
【００２９】
スタイラスペン３は、先端が発光部３ａとされている。発光部３ａは、スタイラスペン３が色タブレット６ａ〜６ｇに接触することによって指定された色を発光する。例えば、スタイラスペン３に、図４に示す発光回路３０を内蔵することにより、発光部３ａは発光する。
【００３０】
発光回路３０は、赤色レーザダイオード（以下、ＬＥＤという。）３１と、赤色ＬＥＤ３１に対して直列に接続している第１の抵抗３２と、第１の抵抗３２に対して直列に接続している第１のスイッチ３３とを備える。また、発光回路３０は、青色ＬＥＤ３４と、青色ＬＥＤ３４に対して直列に接続している第２の抵抗３５と、第２の抵抗３５に対して直列に接続している第２のスイッチ３６とを備える。青色ＬＥＤ３４、第２の抵抗３５、第２のスイッチ３６は、赤色ＬＥＤ３１、第１の抵抗３２、第１のスイッチ３３と並列に接続している。さらに、発光回路３０は、緑色ＬＥＤ３７と、緑色ＬＥＤ３７に対して直列に接続している第３の抵抗３８と、第３の抵抗３８に対して直列に接続している第３のスイッチ３９とを備える。緑色ＬＥＤ３７、第３の抵抗３８、第３のスイッチ３９は、赤色ＬＥＤ３１、第１の抵抗３２、第１のスイッチ３３と並列に接続しており、且つ、青色ＬＥＤ３４、第２の抵抗３５、第２のスイッチ３６と並列に接続している。さらにまた、発光回路３０は、赤色ＬＥＤ３１、第１の抵抗３２、第１のスイッチ３３と並列に接続しており、且つ、青色ＬＥＤ３４、第２の抵抗３５、第２のスイッチ３６と並列に接続しており、且つ、緑色ＬＥＤ３７、第３の抵抗３８、第３のスイッチ３９と並列に接続している電源４０を備える。
【００３１】
第１のスイッチ３３、第２のスイッチ３６、第３のスイッチ３９は、それぞれ制御部２の制御に基づいてオン又はオフとなる。すなわち、赤色ＬＥＤ３１、青色ＬＥＤ３４、緑色ＬＥＤ３７は、制御部２の制御に基づいて点灯する。例えば、スタイラスペン３が色タブレット６ａに接触したときには、第１のスイッチ３３がオンとなって赤色ＬＥＤ３１が点灯し、発光部３ａは赤を発光する。また、スタイラスペン３が色タブレット６ｄに接触したときには、第１のスイッチ３２及び第３のスイッチ３６がオンとなって赤色ＬＥＤ３１と緑色ＬＥＤ３７が点灯し、発光部３ａは黄を発光する。
【００３２】
スタイラスペン３が以上説明した構成とされることにより、ユーザは、画像を手書き入力する前に、指定されている色を知ることが容易となる。したがって、手書きデータ処理装置１によれば、ユーザが誤った色で画像を手書き入力することを回避することが可能となる。例えば、ユーザは、色を指定した後に手書き入力データ表示装置１のそばを長時間離れたために指定した色を忘れたときなどにも、指定されている色を認識することが可能となる。
【００３３】
なお、本実施の形態では、第１のスイッチ３３と、第２のスイッチ３６と、第３のスイッチ３９とを制御し、赤色ＬＥＤ３１、青色ＬＥＤ３４、緑色ＬＥＤ３７をそれぞれ点灯又は消灯させることによって、先端部３ａが指定された色を発光する構成としたが、先端部３から指定された色を発光させる方法は、以上説明した方法に限定されない。例えば、スタイラスペン３に、白色ＬＥＤと、赤色フィルタと、青色フィルタと、緑色フィルタとを内蔵し、色タブレット６ａ〜６ｇのうち１つが押圧されたときにフィルタを選択し、白色ＬＥＤから出力された光が、選択されたフィルタを透過した後に先端部３ａから出力されることによって、先端部３ａから指定された色を発光させても良い。
【００３４】
ＲＡＭ７は、制御部２の作業領域となる。また、ＲＡＭ７は、表示データタブレット４によって生成された位置データと、当該位置データに対応する色データと、当該位置データが生成されたタイミングを示すタイミングデータとを、制御部２の制御に基づいて、所定の時間間隔で一時的に記憶する。制御部２による制御に基づき、ＲＡＭ７に記憶された位置データ、色データ、タイミングデータに応じてＬＣＤドライバ１０が駆動することにより、手書き入力された画像がＬＣＤ１１に表示される。
【００３５】
また、ＲＡＭ７は、メモリカード１２に記憶されているデータが再生されるとき、すなわち、メモリカード１２に記憶されているデータに基づいた画像がＬＣＤ１１に表示されるときには、画像データ処理部１４によってメモリカード１２から読み出された位置データ、色データ、タイミングデータを、一時的に記憶する。制御部２は、再生モードに応じてＬＣＤドライバ１０を制御し、ＲＡＭ７に記憶されている位置データ、色データ、タイミングデータに基づいた画像をＬＣＤ１１に表示させる。
【００３６】
なお、再生モードとしては、手書き入力過程再生モードと、完成画像再生モードとが挙げられる。完成画像再生モードでは、手書き入力が終了し、完成した画像がＬＣＤ１１に表示される。一方、手書き入力過程再生モードでは、画像が手書き入力された過程が、ＬＣＤ１１に表示される。例えば、ＬＣＤ１１の画素を、早い時刻に生成された位置データで示される位置の画素から順番に、対応する色データによって示される色に変化させることで、画像が手書き入力された過程が、ＬＣＤ１１に表示される。
【００３７】
具体的に説明すると、例えば、図５に示すように長さが等しく互いに平行な２本の横線を、上の線を左から描いた後に下の線を左から描くことによって手書き入力したときには、先ず、図６（Ａ）〜（Ｃ）に示すように、上の線が左側から徐々に表示され、次に、図６（Ｄ）〜（Ｆ）に示すように、下の線が左側から徐々に表示されることで、手書き入力された過程が表示される。
【００３８】
カウンタ９は、時刻を生成する。また、制御部２は、表示データタブレット５によって座標データが生成されたタイミングを示すタイミングデータを、カウンタ９によって生成された時刻に基づいて生成する。
【００３９】
ＬＣＤ１１は、ＬＣＤドライバ１０によって駆動されることにより、画像を表示する。詳述すると、ＲＡＭ７に記憶されている位置データ、色データ、タイミングデータに基づいた画像を表示することで、手書き入力された画像を表示する。また、手書き入力データ表示装置１の電源をオンとしたときには、手書き入力データ表示装置１の動作のメニューが記載されているメニュー画面を表示する。メニュー画面には、画像の手書き入力を行う項目と、メモリカード１２に記憶されているデータに基づいて画像を再生する項目とが示される。また、メモリカード１２に記憶されているデータに基づいて画像を再生するときには、メモリカード１２に記憶されているデータに基づいたサムネイル画像や、画像の再生モードなどが示された再生画像選択画面を表示する。
【００４０】
なお、本実施の形態では、画像を表示するモニタとして、小型化及び省電力化に適したＬＣＤ１１を使用しているが、ＣＲＴディスプレイや、プラズマディスプレイなどを使用しても良い。
【００４１】
メモリカード１２は、例えばメモリスティック（商標）など、いわゆるＳＳＦＤＣ（Ｓｏｌｉｄ  Ｓｔａｔｅ  Ｆｌｅｘｉｂｌｅ  Ｄｉｓｋ  Ｃａｒｄ）と略称されるフラッシュＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）を用いたメモリカードや、いわゆるミニチュアカードなどの半導体メモリであり、例えば１ＧＢのメモリ容量を有する。したがって、メモリカード１２は、大容量のデータを記憶することができる。すなわち、手書き入力データ表示装置１は、大容量のデータを内蔵することができるので、例えば手書き入力された画像のデータを、複数内蔵することが可能となる。
【００４２】
画像データ処理部１４は、制御部２による制御に基づいて、ＲＡＭ７に記憶されている位置データ、色データ、タイミングデータをメモリカード１２に対して記録する。また、メモリカード１２に記憶されている位置データ、色データ、タイミングデータを読み出して、ＲＡＭ７に供給する。
【００４３】
消去ボタン１６は、手書き入力した画像を消去するときに押圧する。詳述すると、消去ボタン１６が押圧されることによって、制御部２に対して消去信号が供給される。制御部２は、消去信号が供給されると、ＬＣＤドライバ１０によるＬＣＤ１１の駆動を停止するとともに、ＲＡＭ７に一時的に記憶されている位置データ、色データ、タイミングデータを消去する。すなわち、消去ボタン１６を消去したときには、手書き入力された画像は、メモリカード１２に記録されることなく消去される。
【００４４】
保存ボタン１７は、手書き入力した画像をメモリカード２に記録するときに押圧するボタンである。詳述すると、保存ボタン１７が押圧されることによって、制御部２に対して保存信号が供給される。制御部２は、保存信号が供給されると、ＲＡＭ７に一時的に記憶されている位置データ、色データ、タイミングデータを画像データ処理部１４に供給する。画像データ処理部１４は、供給された位置データ、色データ、タイミングデータを、メモリカード１２に対して記録する。
【００４５】
記録周期変更ボタン１８は、記録周期を変更する。詳述すると、記録周期変更ボタン１８が押圧されることにより、制御部２に対して記録周期変更信号が供給される。そして、制御部２は、表示データタブレット５が座標データを生成するときの時間間隔を変更する。
【００４６】
手書き入力データ表示装置１の動作は、以下に説明する通りとなる。
【００４７】
図７のフローチャートに示すように、先ず、ステップＳ１において、手書き入力データ表示装置１の電源をオンとする。
【００４８】
次に、ステップＳ２において、制御部２の制御に基づいてＬＣＤドライバ１０がＬＣＤ１１を駆動し、メニュー画面を表示する。
【００４９】
次に、ステップＳ３において、ユーザが、画像を手書き入力するか、又はメモリカード１２に記憶されているデータに基づいて画像を再生するかを決定する。画像を手書き入力することが決定されたときにはステップＳ４に進み、メモリカード１２に記憶されているデータに基づいて画像を表示することが決定されたときにはステップＳ２０に進む。
【００５０】
ステップＳ４では、制御部２により、記録周期が認識される。詳述すると、制御部２は、記録周期設定ボタン１８により記録周期が設定されているときには設定されている記録周期を認識し、記録周期設定ボタン１８により記録周期が設定されていないときにはデフォルトの記録周期を認識する。
【００５１】
次に、ステップＳ５では、ユーザがスタイラスペン３で色タブレット６ａ〜６ｇのうち１つを押圧することによって、手書き入力される画像の色を指定する。スタイラスペン３で色タブレット６ａ〜６ｇのうち１つを押圧すると、押圧された色タブレットは、位置データを生成して出力する。制御部２は、生成された位置データに基づいて指定された色を示す色データを生成する。
【００５２】
次に，ステップＳ６では、制御部２が第１のスイッチ３３、第２のスイッチ３６、第３のスイッチ３９を制御することにより、発光部３ａが選択された色の光を発光する。
【００５３】
次に、ステップＳ７では、ユーザがスタイラスペン３によって表示データタブレット５の主面上で画像を書き始めること（ペンダウン）によって、画像の手書き入力が開始となる。画像が手書き入力されると、表示データタブレット５が、スタイラスペン３の押圧位置に応じた座標データを生成し、出力する。
【００５４】
次に、ステップＳ８では、制御部２が、座標データを位置データに変換するとともに、色データと、タイミングデータとを生成し、ＲＡＭ７に記録する。
【００５５】
次に、ステップＳ９では、スタイラスペン３が表示データタブレット５から離れること（ペンアップ）によって、画像の手書き入力が終了し、表示データタブレット５は、座標データの生成を停止する。
【００５６】
次に、ステップＳ１０では、制御部２は、保存信号が供給されたか否かに基づいて、保存ボタン１７が押圧されたか否かを判断する。そして、保存ボタン１７が押圧されたときにはステップＳ１１に進み、保存ボタン１７が押圧されていないときにはステップＳ１２に進む。
【００５７】
ステップＳ１１では、制御部２は、ＲＡＭ７に記憶された位置データ、色データ、タイミングデータを画像データ処理部１４に供給する。そして、画像データ処理部１４が、ＲＡＭ７から供給された位置データ、色データ、タイミングデータをメモリカード１２に記録し、終了する。
【００５８】
また、ステップＳ１２では、制御部２は、消去信号が供給されたか否かに基づいて、消去ボタン１６が押圧されたか否かを判断する。そして、消去ボタン１６が押圧されたときにはステップＳ１３に進み、制御部２が、ＲＡＭ７に記憶されたデータを消去して終了する。また、消去ボタン１６が押圧されていないときにはステップＳ１４に進む。
【００５９】
ステップＳ１４では、制御部２は、スタイラスペン３によって色タブレット６ａ〜６ｇが押圧され、異なる色が指定されたか否かを判断する。異なる色が指定されたときにはステップＳ６に戻り、異なる色が指定されないときにはステップＳ７に戻る。
【００６０】
一方、ステップＳ２０では、制御部２の制御に基づいて、再生画像選択画面が表示される。ユーザは、再生する画像のサムネイル画像と、所望の再生モードとを選択する。再生する画像と再生モードとが選択されると、ステップＳ２１に進む。
【００６１】
次に、ステップＳ２１では、制御部２が、ユーザによって選択された再生モードが手書き入力過程再生モードであるか否かを判断する。手書き入力過程再生モードが選択されたときにはステップＳ２２に進み、完成画像再生モードが選択されたときにはステップＳ２３に進む。
【００６２】
次に、ステップＳ２２では、メモリカード１２に記憶されているデータが、画像データ処理部１４によって読み出された後にＲＡＭ７に記録される。制御部２は、ＬＣＤドライバ１０を制御してＬＣＤ１１を駆動し、位置データ、色データ、及びタイミングデータに基づいて画像を手書き入力した過程を再生し、終了する。
【００６３】
また、ステップＳ２３では、メモリカード１２に記憶されているデータが画像データ処理部１４によって読み出された後にＲＡＭ７に記録される。制御部２は、ＬＣＤドライバ１０を制御してＬＣＤ１１を駆動し、位置データ、及び色データに基づいて手書き入力が終了した後の完成した画像を表示し、終了する。
【００６４】
以上説明したように、本発明を適用した手書き入力データ表示装置１は、スタイラスペン３の先端部３ａが、指定された色を発光する構成とされている。すなわち、ユーザは、画像を手書き入力する前に、指定されている色を認識することが容易となる。したがって、ユーザが、誤った色で画像を手書き入力することを回避することが可能となる。また、ユーザは、指定されている色を確認するために試し書きを行うなどの煩雑な作業を行う必要がなくなる。
【００６５】
また、本発明を適用した手書き入力データ表示装置１によれば、例えば１ＧＢのメモリ容量を有するメモリカード１２を装着することができるため、メモリカード１２に対して大量の位置データ、色データ、タイミングデータを記憶できる。すなわち、手書き入力データ装置１は、手書き入力された画像の位置データ、色データ、タイミングデータを、大量に保存することが容易となる。
【００６６】
また、本発明を適用した手書き入力データ表示装置１によれば、メモリカード１２に手書きされた画像の位置データ、色データ、タイミングデータを保存する。したがって、例えばパーソナルコンピュータなど、メモリカード１２を装着可能な他の電子機器のモニタ上にも、メモリカード１２に記憶されているデータに基づいた画像を表示することが可能となる。
【００６７】
ところで、本発明を適用した手書き入力データ表示装置は、画像を手書きで入力しているときの音声を音声データに変換して、当該音声データをメモリカード１２に記録するとともに、メモリカード１２に記憶されているデータに基づいた画像を再生するときに、音声も同時に再生できる構成としても良い。
【００６８】
以下では、図８に示すように、音声データをメモリカード１２に記録することが可能であり、且つメモリカード１２に記憶されているデータに基づいた画像を再生するときに音声も同時に再生できる手書き入力データ表示装置６０について説明する。なお、以下の説明では、手書き入力データ表示装置１と同等な構成、部位、機能については説明を省略し、また、図面では同じ符号を付する。
【００６９】
手書き入力データ表示装置６０は、入力された音声を電気信号に変換するマイク６１と、マイク６１から出力された電気信号をアナログデジタル変換（以下、Ａ／Ｄ変換という。）するＡ／Ｄ変換部６２と、制御部２の制御に基づいてＡ／Ｄ変換部６２から供給された音声データやメモリカード１２から供給された音声データを処理する音声データ処理部６３とを備える。
【００７０】
また、手書き入力データ表示装置６０は、音声データ処理部６３からメモリカード１２にデータを供給するとともに、メモリカード１２から音声データ処理部６３へデータを供給するＩ／Ｆ６４と、音声データ処理部６３から供給された音声データをデジタルアナログ変換（以下、Ｄ／Ａ変換という。）するＤ／Ａ変換部６５と、Ｄ／Ａ変換部６５から出力された音声データを増幅するアンプ６６と、アンプ６６から供給された音声データに基づいて音声を放音するスピーカ６７とを備える。
【００７１】
音声データ処理部６３は、Ａ／Ｄ変換部６２から供給された音声データに対して圧縮処理などのエンコード処理を行う。エンコード処理された音声データは、Ｉ／Ｆ６４を介してメモリカード１２に記録される。また、音声データ処理部６３は、メモリカード１２に記憶されている音声データが、Ｉ／Ｆ６４を介して供給される。メモリカード１２は、Ｉ／Ｆ６４を介して供給された音声データに対して伸張処理などのデコード処理を行う。デコード処理された音声データは、Ｄ／Ａ変換部６５、アンプ６６によって処理された後に、スピーカ６７に供給される。スピーカ６７は、供給された音声データに基づいた音声を放音する。
【００７２】
以上説明したように、手書き入力データ表示装置６０は、画像を手書きで入力しているときの音声を音声データに変換し、当該音声データをメモリカード１２に記録することができる。また、メモリカード１２に記憶されているデータに基づいた画像を再生するときに、この画像が手書き入力されたときに同時に記録された音声データに基づいて、音声を同時に再生することができる。
【００７３】
【発明の効果】
本発明に係る手書き入力データ表示装置は、手書き入力手段が、指定された色を発光する発光部を備えている。すなわち、本発明に係る手書き入力データ処理装置によれば、ユーザは、画像を手書き入力する前に、指定されている色を知ることが容易となる。したがって、本発明に係る手書き入力装置は、ユーザが、誤った色で画像を手書き入力することを回避することが可能となる。また、本発明に係る手書き入力データ処理装置によれば、ユーザは、指定されている色を確認するために試し書きを行うなどの煩雑な作業を行う必要がなくなる。
【００７４】
また、本発明に係る手書き入力データ処理装置によれば、メモリ容量が多い半導体メモリを装着し、半導体メモリに対して位置データ、色データ、タイミングデータを記憶することができる。すなわち、本発明に係る手書き入力データ処理装置は、画像データを大量に保存することが容易となる。
【００７５】
また、本発明に係る手書き入力データ処理装置によれば、手書き入力された画像の位置データ、色データ、タイミングデータを生成し、半導体メモリに保存する。したがって、例えばパーソナルコンピュータなど、半導体メモリを装着可能な他の電子機器の表示手段にも、半導体メモリに記憶されているデータに基づいた画像を表示することが可能となる。
【図面の簡単な説明】
【図１】本発明を適用した手書き入力データ表示装置のブロック図である。
【図２】同手書き入力データ表示装置の外観を示す図である。
【図３】同手書き入力データ表示装置に備えられる入力装置の他の構成を示す図である。
【図４】同手書き入力データ表示装置に備えられるスタイラスペンに内蔵される発光用回路を示す回路図である。
【図５】スタイラスペン３によって手書き入力された画像の一例を示す図である。
【図６】手書き入力過程再生モードのときに、ＬＣＤに表示される画像を示す図である。
【図７】同手書き入力データ表示装置の動作を説明するフローチャートである。
【図８】本発明を適用した他の手書き入力データ表示装置のブロック図である。
【符号の説明】
１  手書き入力データ表示装置、２  制御部、３  スタイラスペン、４  タブレットドライバ、５  表示データタブレット、６ａ〜６ｇ  色タブレット、７  ＲＡＭ、８  ＲＯＭ、９  カウンタ、１０  ＬＣＤドライバ、１１  ＬＣＤ、１２  メモリカード、１３  スロット、１４  画像データ処理部、１５  Ｉ／Ｆ、１６  消去ボタン、１７  保存ボタン、１８  記録周期変更ボタン
【図１】
2004302976.tif 000003
【図２】
2004302976.tif 000004
【図３】
2004302976.tif 000005
【図４】
2004302976.tif 000006
【図５】
2004302976.tif 000007
【図６】
2004302976.tif 000008
【図７】
2004302976.tif 000009
【図８】
2004302976.tif 000010